(57)【要約】【課題】  敷設コストを軽減できる２線式配線を用いて電気製品に電源用電力を直流によって供給し、ＬＥＤ照明の調光などの電気製品の動作制御が可能な２線式直流配電システムおよび２線式調光器を提供する。【解決手段】  直流配電システム１０は、２線式配線に、直流配電分電盤１２と、ＬＥＤ照明器具１４と、ＬＥＤ照明器具１４の制御装置１６（調光器）とを接続したものである。ＭＯＳＦＥＴＱ１がオフのとき、電源生成部２０に流れる電流は、電源生成部２０の積分回路によって平滑化されて、ＰＷＭ発振部２２に供給され、ＰＷＭ発振部２２に設けたＬＥＤ照明器具１４の照度をコントロールする調光制御回路の動作電源となる。これにより、直流配電システム１０では調光器に２本のみ配線するため、敷設コストを削減又は軽減でき、無駄のない配線方式を提供することができる。【選択図】  図１
2011193651.tif 000002
【特許請求の範囲】
【請求項１】
直流電源を用いた２線式配線に直流電源により動作する電気製品とその電気製品の動作を制御する制御装置とを接続する直流配電システムであって、
前記制御装置が、パルス信号に基づいて電気製品の電源を制御するスイッチング素子を備える主電流制御部と、主電流制御部のオフ時に入力されるパルス電圧を積分する積分回路を備える電源生成部と、電源生成部が生成した電圧を電源として電気製品の動作を制御する電気機器を備える動作制御部と、動作制御部から出力される電圧をパルス幅変調したパルス信号を主電流制御部に送るデューティ比可変発振部を備えるＰＷＭ発振部とを備えることを特徴とする２線式直流配電システム。
【請求項２】
前記電気製品が発光ダイオード照明器具である場合、前記制御装置は、前記発光ダイオード照明装置に供給する電流を制御する前記スイッチング素子と、前記スイッチング素子の非導通時に入力されるパルス電圧を積分する前記積分回路と、前記積分回路から出力される電圧をデューティ比可変マルチバイブレータを介して受ける可変抵抗器を備える時定数回路とを備え、前記時定数回路から出力される電圧を前記デューティ比可変マルチバイブレータによりパルス幅変調し前記スイッチング素子に送る調光器であることを特徴とする請求項１記載の２線式直流配電システム。
【請求項３】
前記直流配電システムに微小電流を流す微電流抑制回路を前記電気製品に設けることを特徴とする請求項１又は請求項２記載の２線式直流配電システム。
【請求項４】
直流電源回路に接続する２線式の調光器であって、発光ダイオード照明装置に供給する電流を制御するスイッチング素子と、スイッチング素子の非導通時に入力されるパルス電圧を積分する積分回路と、積分回路から出力される電圧をデューティ比可変マルチバイブレータを介して受ける可変抵抗器を備える時定数回路とを備え、時定数回路から出力される電圧を前記デューティ比可変マルチバイブレータによりパルス幅変調し前記スイッチング素子に送ることを特徴とする２線式調光器。
【発明の詳細な説明】
【技術分野】
【０００１】
本発明は、直流で動作する電気製品に電源用電力を供給する２線式直流配電システムおよび２線式調光器に関するものである。
【背景技術】
【０００２】
現在、商用電源および家庭用電源として交流電源が使用されている。家庭等で使用される電気製品は直流電源で動作するものがあり、直流用電気製品を使用する場合、商用電源および家庭用電源を交流（ＡＣ）から直流（ＤＣ）に変換する必要があった。しかし、多くの場合、交流−直流の変換効率は８０％程度であり、２０％前後の電力エネルギーは熱となって排出される。交流−直流の変換によるエネルギーの無駄を回避するため、データ・センターや店舗等において直流用電気製品に電力を直流で供給する直流配電システムが導入されている。
また、従来から地球温暖化対策として二酸化炭素を排出しない自然エネルギーの活用が求められており、近年太陽光発電が家庭に普及しつつある。従って、家庭では太陽光発電で得た直流電力を蓄電池に蓄え、その電力を直接電気製品に供給する直流配電システムが今後広く利用されるものと考えられる。
【０００３】
従来の直流配電システムでは、電気製品を動作させるには４線式配線が必要となる場合がある。例えば、発光ダイオード照明器具（以下、発光ダイオードは「ＬＥＤ」と記載する。）を調光する場合、調光器を動作するための電源が必要となる。この場合、調光器に電源配線として２本および出力用として２本、合計４本の配線を敷設する必要がある（図１０）。
しかし、４線式配線による配電システムは敷設コストがかかるという問題があり、２線式配線によって直流を供給する方式の直流配電システムが望ましい。
【０００４】
従来、敷設コストの軽減を図るものとして、ＡＣ１００Ｖ商用交流電源の配線を不要としたナイトライトが提供されている（特許文献１）。
特許文献１のナイトライトは、ナイトライトまでのＡＣ１００Ｖ商用交流電源の配線を不要としたものである。これにより、ナイトライトを設置する場所までの商用交流電源の配線工事を無くすことができ、敷設コストを軽減することができる。  
【先行技術文献】
【特許文献】
【０００５】
【特許文献１】特開平１１−２７３８７７号公報
【発明の概要】
【発明が解決しようとする課題】
【０００６】
特許文献１のナイトライトは、ＡＣ１００Ｖ商用電源で電力供給されている伝送処理装置で変換された伝送信号を含むＡＣ２４Ｖの交流電源供給システムで駆動する端末機器である。特許文献１の電源供給システムにより、ナイトライトへの配線が弱電配線で済むため、ナイトライトへのＡＣ１００Ｖ商用交流電源の配線をなくすことができる。
【０００７】
しかし、特許文献１のナイトライトは、伝送処理装置から２本の信号線を介して送信される制御データにより負荷の動作を制御する遠隔監視制御システムに用いられるナイトライトであって、直流で動作する電気製品に直流で電源用電力を供給する直流配電システムを提供するものではなかった。
また、特許文献１は、２線式配線によって直流電源で直接電気製品を動作させる直流配電システムを提供するものでもなかった。
【０００８】
本発明は、敷設コストを軽減できる２線式配線を用いて電気製品に電源用電力を直流によって供給し、ＬＥＤ照明の調光などの電気製品の動作制御が可能な２線式直流配電システムおよび２線式調光器を提供することを目的とするものである。
【課題を解決するための手段】
【０００９】
本発明の２線式直流配電システムは、直流電源を用いた２線式配線に直流電源により動作する電気製品とその電気製品の動作を制御する制御装置とを接続する直流配電システムであって、前記制御装置が、パルス信号に基づいて電気製品の電源を制御するスイッチング素子を備える主電流制御部と、主電流制御部のオフ時に入力されるパルス電圧を積分する積分回路を備える電源生成部と、電源生成部が生成した電圧を電源として電気製品の動作を制御する電気機器を備える動作制御部と、動作制御部から出力される電圧をパルス幅変調したパルス信号を主電流制御部に送るデューティ比可変発振部を備えるＰＷＭ発振部とを備えるようにしたものである。
【００１０】
また、前記電気製品が発光ダイオード照明器具である場合、前記制御装置は、前記発光ダイオード照明装置に供給する電流を制御する前記スイッチング素子と、前記スイッチング素子の非導通時に入力されるパルス電圧を積分する前記積分回路と、前記積分回路から出力される電圧をデューティ比可変マルチバイブレータを介して受ける可変抵抗器を備える時定数回路とを備え、前記時定数回路から出力される電圧を前記デューティ比可変マルチバイブレータによりパルス幅変調し前記スイッチング素子に送る調光器としたものである。
また、前記直流配電システムに微小電流を流す微電流抑制回路を前記電気製品に設けるようにしたものである。
【００１１】
本発明の２線式調光器は、直流電源回路に接続する２線式の調光器であって、発光ダイオード照明装置に供給する電流を制御するスイッチング素子と、スイッチング素子の非導通時に入力されるパルス電圧を積分する積分回路と、積分回路から出力される電圧をデューティ比可変マルチバイブレータを介して受ける可変抵抗器を備える時定数回路とを備え、時定数回路から出力される電圧を前記デューティ比可変マルチバイブレータによりパルス幅変調し前記スイッチング素子に送るようにしたものである。
【発明の効果】
【００１２】
本発明の２線式直流配電システムは、スイッチング素子を流れる電流を制御して、その電流を電気製品の動作を制御する電気機器（例えば、調光器、人感センサ、遅れスイッチ等）の動作電源として供給するものである。これにより、電気製品の動作を制御する電気機器の電源用配線は不要となり、２線式配線で電気製品を制御でき、配線敷設工事費を削減又は軽減することができる。また、無駄のない配線方式を提供することができる。
本発明の２線式調光器は、本発明の２線式直流配電システムと同様、スイッチング素子を流れる電流を制御して、その電流を動作電源とするものであり、配線敷設工事費を削減又は軽減することができ、無駄のない配線方式を提供するという効果を有するものである。
【００１３】
また、直流電源の開閉を機械式スイッチで行った場合に接点間にアーク放電が生じ、接点の磨耗、損傷、接点寿命の低下が問題になるが、本発明は、スイッチング半導体素子による無接点開閉であるため、長寿命の配線方式を提供することができる。
【図面の簡単な説明】
【００１４】
【図１】本発明の直流配電システムおよび２線式調光器の実施例を表わす図である。
【図２】図１の直流配電システムおよび２線式調光器の動作を表わす波形である。
【図３】図１の直流配電システムおよび２線式調光器の動作を表わす波形である。
【図４】図１の直流配電システムおよび２線式調光器の動作を表わす波形である。
【図５】図１のＬＥＤ照明２線式調光配線の概略図である。
【図６】本発明の直流配電システムの他の実施例を表わす図である。
【図７】本発明の直流配電システムの他の実施例を表わす図である。
【図８】図１および図６のＬＥＤ照明器具に設ける微電流抑制回路を示す図である。
【図９】図７の直流換気扇に設ける微電流抑制回路を示す図である。
【図１０】従来のＬＥＤ照明４線式調光配線の概略図である。
【発明を実施するための形態】
【００１５】
本発明は、直流配電システムにおいて直流２線式配線による電気製品の動作制御を実現するものである。
【実施例】
【００１６】
本発明の２線式直流配電システムおよび２線式調光器を図に基づいて説明する。図１は、本発明の直流配電システムの実施例を表わす図であり、直流配電用ＬＥＤ照明２線式調光配線図である。図２乃至図４は、図１の直流配電システムおよび２線式調光器の動作を表わす波形である。図２乃至図４において、図（ａ）はロジックＩＣのＩ１の入力端子への信号電圧を表わす波形であり、図（ｂ）はロジックＩＣのＩ１から出力される信号電圧を表わす波形であり、図（ｃ）は主電流制御部に印加される信号電圧を表わす波形であり、図（ｄ）は図（ｃ）の信号電圧が主電流制御部に印加された場合に電源生成部で生成される制御装置の動作電圧を表わす波形である。図５は、図１のＬＥＤ照明２線式調光配線の概略図である。
図１の２線式直流配電システム１０は、２線式配線に、直流配電分電盤１２（直流配電システム１０の電源）と、ＬＥＤ照明器具１４（電気製品）と、ＬＥＤ照明器具１４の制御装置１６とを接続したものである。ＬＥＤ照明器具１４は、屋内に配置されるＬＥＤ電球１４ａを点灯させる照明器具である。
【００１７】
直流配電分電盤１２は、商用電源（交流−直流変換したもの）、太陽電池、蓄電池等の＋１２Ｖ〜＋４８Ｖの直流電源を直流配電システム１０の２線式配線を介してＬＥＤ照明器具１４（電気製品）に供給するものである。
【００１８】
制御装置１６は屋内に配置される電気製品１４の動作をコントロールする制御装置であり、主電流制御部１８、電源生成部２０、ＰＷＭ発振部２２を備えるものである。図１において、制御装置１６は調光器である。
主電流制御部１８は、スイッチング素子であるＭＯＳＦＥＴ（Metal Oxide Semiconductor FET）Ｑ１を備える。ＭＯＳＦＥＴＱ１がオンすると、主電流制御部１８は導通し、ＬＥＤ照明器具１４のＬＥＤ電球１４ａが点灯する。なお、ツェナーダイオードＺＤ１は、過電圧がかかった場合にＭＯＳＦＥＴＱ１のゲートＧを保護するものである。
電源生成部２０は、抵抗Ｒ１とコンデンサＣ１とからなる積分回路である。電源生成部２０は、主電流制御部１８の非導通時に電源生成部２０に供給されるパルス電圧を積分回路により積分し、平滑にしてＰＷＭ発振部２２に供給する。
ＰＷＭ発振部２２は、ＬＥＤ照明器具１４の照度をコントロールする調光制御回路（ＬＥＤ照明器具１４を調光するための動作制御部）を含むものであり、調光制御回路を流れる電流をＰＷＭ（パルス幅変調Pulse Width Modulation）で制御するロジックＩＣ、Ｉ１，Ｉ２，Ｉ３（インバーター）を備えるものである。
【００１９】
以下、図１の調光器（制御装置１６）の動作を図１乃至図４に基づいて説明する。図２はＬＥＤ照明器具１４のＬＥＤ電球１４ａの中間照度時の波形図、図３はＬＥＤ電球１４ａの最高照度時の波形図、図４はＬＥＤ電球１４ａの最低照度時の波形図である。
図１において、直流配電分電盤１２により供給される直流電圧は、負荷であるＬＥＤ照明器具１４を介して制御装置１６（調光器）に供給される。供給された電圧は、電源生成部２０の抵抗Ｒ１とコンデンサＣ１とからなる積分回路を介して、ロジックＩＣ、Ｉ１，Ｉ２，Ｉ３に供給される。
【００２０】
Ｉ１，Ｉ２，Ｉ３の３個のインバーターＩＣで構成されたデューティ比可変マルチバイブレータ２４は、ＰＷＭ発振回路と同様の働きをする。デューティ比可変マルチバイブレータ２４（デューティ比可変発振回路）のＰＷＭ発振出力信号（パルス信号）は、主電流制御部１８のＭＯＳＦＥＴ（スイッチング素子）Ｑ１のゲートＧに送られ、ＬＥＤ照明器具１４に流れる電流をＰＷＭ制御する。
デューティ比可変マルチバイブレータ２４のロジックＩＣ、Ｉ１，Ｉ２，Ｉ３は、直列に接続されている。ロジックＩＣ、Ｉ３の出力は、図１に示すダイオードＤ１、Ｄ２および抵抗Ｒ５、Ｒ６と、可変抵抗器ＶＲ１と、コンデンサＣ２と、抵抗Ｒ４を介して、ロジックＩＣ、Ｉ１の入力端子に接続されている。また、コンデンサＣ２の他の端子は、ロジックＩＣ、Ｉ３の入力端子に接続されている。
【００２１】
続いて、デューティ比可変マルチバイブレータ２４の動作を説明する。
（ＬＥＤ中間照度時の動作説明）
図１において、図示しない電源スイッチを入れたとき、可変抵抗器ＶＲ１が中間点でロジックＩＣ、Ｉ３の出力電圧が「Ｈ」であると仮定した場合、その出力電圧は、ダイオードＤ２、抵抗６および可変抵抗器ＶＲ１の抵抗値の半分を加算した抵抗を通り、コンデンサＣ２を充電するようになっている。また、上記出力電圧は、抵抗Ｒ４を介してロジックＩＣ、Ｉ１の入力端子へも供給される。このとき、ロジックＩＣ、Ｉ１の入力端子（図１中のＡ点）の信号電圧は、抵抗６および可変抵抗器ＶＲ１の抵抗値の半分を加算した抵抗とコンデンサＣ２により構成される時定数回路２６によって、バイアス状の信号電圧となり（図２（ａ））、そのバイアス状の信号電圧がロジックＩＣ、Ｉ１のスレシホールド電圧を超えたときにロジックＩＣ、Ｉ１の出力電圧は反転することになる（図１中のＢ点、図２（ｂ））。また、図２（ｂ）におけるＰＷＭ出力は、およそ５０％のデューティ比となる。
他方、可変抵抗器ＶＲ１が中間点でロジックＩＣ、Ｉ３の出力電圧が「Ｌ」であると仮定した場合、その出力電圧は、ダイオードＤ１、抵抗５および可変抵抗器ＶＲ１の抵抗値の半分を加算した抵抗を通り、コンデンサＣ２を充電する。
可変抵抗器ＶＲ１が中間点であるため、ロジックＩＣ、Ｉ３の出力が「Ｈ」または「Ｌ」の場合でも、時定数回路定数は同様であるため、デューティ比は５０％となり、ＬＥＤ照明装置１４の照度は中間照度となる。
【００２２】
（ＬＥＤ最高照度時の動作説明）
可変抵抗器ＶＲ１のつまみ２８（図５）を図１の「明るい」の方に回すと、時定数回路定数が大きくなり、図３（ａ）に示すように出力電圧がスレシホールド電圧に達するまでに時間がかかるため、ＰＷＭ出力は、およそ９５％のデューティ比となる。
（ＬＥＤ最低照度時の動作説明）
可変抵抗器ＶＲ１のつまみ２８（図５）を図１の「暗い」の方に回すと、時定数回路定数が小さくなり、図４（ａ）に示すように出力電圧がスレシホールド電圧に達するまでに時間が短いため、ＰＷＭ出力は、およそ５％のデューティ比となる。
【００２３】
ロジックＩＣ、Ｉ１の出力電圧（デューティ比可変マルチバイブレータ２４のＰＷＭ発振出力信号）は、抵抗Ｒ３を通り、主電流制御部１８のＭＯＳＦＥＴ（スイッチング素子）Ｑ１のゲートＧに送られ、ＭＯＳＦＥＴＱ１をオン・オフし（図２（ｂ）、図３（ｂ）、図４（ｂ））、ＬＥＤ照明器具１４に流れる主電流をＰＷＭ制御する。
【００２４】
ＭＯＳＦＥＴＱ１がオフのとき、電源生成部２０に流れる図２（ｃ）、図３（ｃ）、図４（ｃ）の電流（パルス電圧）は、電源生成部２０の積分回路によって平滑化されて、ＰＷＭ発振部２２に供給され、ＰＷＭ発振部２２に設けたＬＥＤ照明器具１４の照度をコントロールする調光制御回路又は制御装置（調光器）１６の動作電源となる。したがって、本発明の直流配電システム１０では調光器１６に２本のみ配線するため、その敷設が容易となる（図５）。図１０の従来のＬＥＤ照明４線式調光配線のように電源配線として２本の配線を設ける必要がなく、敷設コストを削減又は軽減でき、無駄のない配線方式を提供することができる。
【００２５】
図１において、電源生成部２０の積分回路で生成される調光器１６の動作電源は、図２（ｃ）、図３（ｃ）、図４（ｃ）に示すような脈流となるが、主電流制御部１８のツェナーダイオードＺＤ１によって、上記脈流を無くすことができる。
【００２６】
次に、本発明の２線式直流配電システムの他の実施例を図６に基づいて説明する。図６は、直流配電用人感センサスイッチ機能付きＬＥＤ照明２線式点灯配線図である。なお、図６において、図１の構成部と同一の構成部には、図１と同一の符号を付し、その構成部についての説明は省略する。
図６の直流配電システム３０は、図１の２線式直流配電システム１０のＰＷＭ発振部２２に代えて、ＰＷＭ発振部３２とＬＥＤ照明器具１４の点灯を制御する人感センサスイッチである動作制御部３４を設けたものである。
図６のような２線式配線の直流配電システム３０において、ＬＥＤ照明器具１４を点灯させる動作制御部３４（人感センサスイッチ）に直流電圧が供給される。
動作制御部３４は、人体検出部（焦電センサ）と増幅部とコンパレータとタイマー部から構成される人感センサスイッチである。上記人感センサスイッチは公知のものであるため、各構成部の説明は省略する。
図６の制御装置１６において、タイマー部のタイマー出力が「Ｈ（ハイ）」となっている間、ＰＷＭ発振部３２のデューティ比可変発振部（デューティ比可変発振回路）の出力は、図３（ｂ）のようにおよそ９５％のデューティ比となるように設定されているものとする。従って、人体移動が検出された場合、図３（ｂ）の出力オン時に主電流制御部１８は導通し、ＬＥＤ照明器具１４は点灯する。また、当該点灯期間において、図３（ｃ）のようなデューティ比残り５％の出力電圧が、動作制御部３４の人感センサスイッチの動作電源用として電源生成部２０に送られ、電源生成部２０から動作制御部３４の人感センサスイッチに供給される（図３（ｄ））。
タイマー部のタイマー出力が「Ｌ（ロー）」となった場合は、デューティ比可変発振部の出力はゼロ（０％）となるように設定されており、ＬＥＤ照明器具１４は消灯する。
なお、図６において、ＰＷＭ発振部３２および動作制御部３４はマイコン制御されるものである。
【００２７】
次に、本発明の２線式直流配電システムの他の実施例を図７に基づいて説明する。図７は、直流配電用２線式遅れスイッチの配線図である。
なお、図７において、図１の構成部と同一の構成部には、図１と同一の符号を付し、その構成部についての説明は省略する。
図７の直流配電システム３６は、図１の２線式直流配電システム１０のＰＷＭ発振部２２に代えて、ＰＷＭ発振部３２と直流換気扇３８の動作を制御する遅れスイッチである動作制御部４０を設けたものである。
動作制御部４０は、スイッチ部とスイッチ検出部とタイマー部から構成される遅れスイッチである。なお、上記遅れスイッチは公知のものであるため、各構成部の説明は省略する。
図７の動作制御部４０において、タイマー部のタイマー出力が「Ｈ（ハイ）」となっている間、ＰＷＭ発振部３２のデューティ比可変発振部（デューティ比可変発振回路）の出力は、図３（ｂ）のようにおよそ９５％のデューティ比となるように設定されているものとする。従って、スイッチ部がオンされた場合、図３（ｂ）の出力オン時に主電流制御部１８は導通し、直流換気扇３８は回転する。また、当該回転動作期間において、図３（ｃ）のようなデューティ比残り５％の出力電圧が、動作制御部４０の遅れスイッチの動作電源用として電源生成部２０に送られ、電源生成部２０から動作制御部４０の遅れスイッチに供給される（図３（ｄ））。
また、図７において、直流換気扇３８の回転動作中にスイッチ部がオフされると、スイッチ検出部はタイマー部にカウント開始命令を出し、タイマー部はカウントを開始し設定時間経過後にＰＷＭ発振部３２のデューティ比可変発振部を停止させるように設定されている。すなわち、タイマー部のタイマー出力が「Ｌ（ロー）」となった場合は、デューティ比可変発振部の出力はゼロ（０％）となるように設定されており、直流換気扇３８の動作は停止する。
なお、図７において、ＰＷＭ発振部３２および動作制御部４０はマイコン制御されるものである。
【００２８】
図１、図６および図７の直流配電システム１０、３０および３６では、ＬＥＤ照明器具１４を調光する制御装置１６（調光器）、ＬＥＤ照明器具１４を点灯させる動作制御部３４（人感センサスイッチ）および直流換気扇３８を回転させる動作制御部４０（遅れスイッチ）に直流電圧が供給される。そのため、ＬＥＤ照明器具１４や直流換気扇３８に電流が流れることなるが、電流は微小であるため、ＬＥＤ照明器具１４は消灯（もしくは微点灯）し、直流換気扇３８は停止もしくは微振動する。
また、上記ＬＥＤ照明器具１４や直流換気扇３８に流れる電流による動作を停止するために、ＬＥＤ照明器具１４や直流換気扇３８に微電流抑制回路４２を設けても良い（図８、図９）。なお、図８は微電流抑制回路４２をＬＥＤ照明器具１４に内蔵した実施例を表わす図であり、図９は微電流抑制回路４２を直流換気扇３８に外付けした実施例を表わす図である。
微電流抑制回路４２は、スイッチング素子（ＭＯＳＦＥＴ）Ｑ３、抵抗Ｒ７，Ｒ８、ＮＰＮトランジスタＱ２およびコンデンサＣ３で構成されている。ＬＥＤ照明器具１４や直流換気扇３８の負荷電流がスイッチング素子Ｑ３、抵抗Ｒ７を介して流れたときに発生する抵抗Ｒ７の両端電圧が所定の電圧（０．６Ｖ）に達すると、ＮＰＮトランジスタＱ２のコレクタ−エミッタ間がオンし、スイッチング素子Ｑ３のゲート電圧が引き下がるため、スイッチング素子Ｑ３はオフ状態となり、負荷電流を一定電流に制限する。抵抗Ｒ８は、スイッチング素子Ｑ３をオンさせる抵抗である。微電流抑制回路４２は、ＬＥＤ照明器具１４では微点灯を無くし、直流換気扇３８では微振動を無くすことができる。また、微電流抑制回路４２を設けることにより、出力オフ状態（図３（ｂ））でも、図１、図６及び図７の動作制御部に微電流を流すことができることから、図６のＰＷＭ発振部３２及び動作制御部３４のマイコンや図７のＰＷＭ発振部３２及び動作制御部４０のマイコンに電源電圧を供給することができる。
【符号の説明】
【００２９】
１０  直流配電システム
１２  直流配電分電盤
１４  ＬＥＤ照明機具
１６  制御装置
１８  主電流制御部
２０  電源生成部
２２  ＰＷＭ発振部
３０  直流配電システム
３２  ＰＷＭ発振部
３４  動作制御部
３６  直流配電システム
３８  直流換気扇
４０  動作制御部
４２  微電流抑制回路
【図１】
2011193651.tif 000003
【図２】
2011193651.tif 000004
【図３】
2011193651.tif 000005
【図４】
2011193651.tif 000006
【図５】
2011193651.tif 000007
【図６】
2011193651.tif 000008
【図７】
2011193651.tif 000009
【図８】
2011193651.tif 000010
【図９】
2011193651.tif 000011
【図１０】
2011193651.tif 000012